【手続補正書】
【提出日】平成21年7月10日(2009.7.10)
【手続補正１】
【補正対象書類名】特許請求の範囲
【補正対象項目名】全文
【補正方法】変更
【補正の内容】
【特許請求の範囲】
【請求項１】
マルチチャンネルオーディオ信号を生成するデコーダであって、
オーディオチャンネルの第１のセットを有する第１の信号を受け取る手段と、
前記オーディオチャンネルの第１のセットの特徴に応じてオーディオチャンネルの第２のセットのために推定パラメトリックデータを生成する推定手段であって、前記推定パラメトリックデータは、前記オーディオチャンネルの第２のセットの特徴を前記オーディオチャンネルの第１のセットの特徴に関連付ける当該推定手段と、
前記チャンネルの第２のセットを有する前記マルチチャンネルオーディオ信号を生成するために前記推定パラメトリックデータに応じて前記第１の信号を復号する空間オーディオデコーダと
を有する当該デコーダ。
【請求項２】
前記第１の信号は、前記チャンネルの第２のセットに関連するパラメトリックオーディオデータを有していない請求項１記載のデコーダ。
【請求項３】
前記推定手段は、前記オーディオチャンネルの第１のセットに関する第１のパラメータデータを決定する手段と、前記第１のパラメータデータを前記オーディオチャンネルの第２のセットのための前記推定パラメータデータにマッピングする手段とを有する請求項１記載のデコーダ。
【請求項４】
前記第１のパラメータデータは、前記オーディオ信号の第１のセットの少なくとも２つのオーディオチャンネルに関する少なくとも１つのチャンネル間レベル差の値を有する請求項３記載のデコーダ。
【請求項５】
前記第１のパラメータデータは、前記オーディオ信号の第１のセットの少なくとも２つのオーディオチャンネルに関する少なくとも１つのチャンネル間相関係数の値を有する請求項３記載のデコーダ。
【請求項６】
前記マルチチャンネルオーディオ信号はサラウンドサウンド信号であり、前記推定パラメータデータは、
・前記チャンネルの第２のセットの左前方チャンネルと左サラウンドチャンネルとの間のチャンネル間レベル差と、
・前記チャンネルの第２のセットの右前方チャンネルと右サラウンドチャンネルとの間のチャンネル間レベル差と、
・前記チャンネルの第２のセットの左前方チャンネルと左サラウンドチャンネルとの間のチャンネル間相関係数と、
・前記チャンネルの第２のセットの右前方チャンネルと右サラウンドチャンネルとの間のチャンネル間相関係数と、
・前記オーディオチャンネルの第２のセットの中央チャンネルに関する予測係数と、
・前記チャンネルの第２のセットの中央チャンネルと他のチャンネルとの間のチャンネル間レベル差と
より成る群から選択される少なくとも１つのパラメータを有する請求項１記載のデコーダ。
【請求項７】
時間周波数タイルを生成する手段を更に有し、前記推定手段は、時間周波数タイルに関する前記推定パラメトリックデータを生成するように設けられた請求項１記載のデコーダ。
【請求項８】
前記推定手段は、前記オーディオチャンネルの第２のセットのためのパラメトリックデータの対応する値に時間周波数タイルに関する前記オーディオチャンネルの第１のセットの少なくとも１つの信号の特徴のセットを直接的にマッピングする手段を有する請求項７記載のデコーダ。
【請求項９】
前記空間オーディオデコーダは、前記推定パラメトリックデータに応じて決定されるパラメータを用いて少なくとも１つのマトリクス演算を行うように設けられた請求項１記載のデコーダ。
【請求項１０】
第２の信号に関するパラメトリックデータを抽出する手段を更に有し、前記空間オーディオデコーダは抽出された前記パラメトリックデータに応じて前記第２の信号を復号するように動作可能である請求項１記載のデコーダ。
【請求項１１】
前記第１の信号の特徴に応じて復号モードを選択する手段を更に有する請求項１記載のデコーダ。
【請求項１２】
前記オーディオチャンネルの第１のセットは、２つのオーディオチャンネルから成る請求項１記載のデコーダ。
【請求項１３】
前記第１の信号は、マトリクス符号化されたサラウンドサウンド信号である請求項１２記載のデコーダ。
【請求項１４】
マトリクス−サラウンド反転マトリクスと、前記推定パラメトリックデータに応じて前記マトリクス−サラウンド反転マトリクスの少なくとも１つの係数を決定する手段とを更に有する請求項１３記載のデコーダ。
【請求項１５】
マルチチャンネルオーディオ信号を生成する方法であって、
オーディオチャンネルの第１のセットを有する第１の信号を受け取ることと、
前記オーディオチャンネルの第１のセットの特徴に応じてオーディオチャンネルの第２のセットのために推定パラメトリックデータを生成することであって、前記推定パラメトリックデータは、前記オーディオチャンネルの第２のセットの特徴を前記オーディオチャンネルの第１のセットの特徴に関連付けることと、
前記チャンネルの第２のセットを有する前記マルチチャンネルオーディオ信号を生成するために前記推定パラメトリックデータに応じて前記第１の信号を空間オーディオデコーダで復号することと
を有する当該方法。
【請求項１６】
請求項１５記載の方法を実行するコンピュータプログラム。
【請求項１７】
マルチチャンネルオーディオ信号を生成する受信器であって、
オーディオチャンネルの第１のセットを有する第１の信号を受け取る手段と、
前記オーディオチャンネルの第１のセットの特徴に応じてオーディオチャンネルの第２のセットのために推定パラメトリックデータを生成する推定手段であって、前記推定パラメトリックデータは、前記オーディオチャンネルの第２のセットの特徴を前記オーディオチャンネルの第１のセットの特徴に関連付ける当該推定手段と、
前記チャンネルの第２のセットを有する前記マルチチャンネルオーディオ信号を生成するために前記推定パラメトリックデータに応じて前記第１の信号を復号する空間オーディオデコーダと
を有する当該受信器。
【請求項１８】
マルチチャンネル信号を符号化することによりオーディオチャンネルの第１のセットを有する第１の信号を生成するエンコーダと、
前記第１の信号を送信する送信器と、
前記第１の信号を受け取る手段と、
前記オーディオチャンネルの第１のセットの特徴に応じてオーディオチャンネルの第２のセットのために推定パラメトリックデータを生成する推定手段であって、前記推定パラメトリックデータは、前記オーディオチャンネルの第２のセットの特徴を前記オーディオチャンネルの第１のセットの特徴に関連付ける当該推定手段と、
前記チャンネルの第２のセットを有する復号されたマルチチャンネルオーディオ信号を生成するために前記推定パラメトリックデータに応じて前記第１の信号を復号する空間オーディオデコーダと
を含む送信システム。
【請求項１９】
オーディオ信号を送信及び受信する方法であって、
マルチチャンネル信号を符号化することによりオーディオチャンネルの第１のセットを有する第１の信号を生成することと、
前記第１の信号を送信することと、
前記第１の信号を受信することと、
前記オーディオチャンネルの第１のセットの特徴に応じてオーディオチャンネルの第２のセットのために推定パラメトリックデータを生成することであって、前記推定パラメトリックデータは、前記オーディオチャンネルの第２のセットの特徴を前記オーディオチャンネルの第１のセットの特徴に関連付けることと、
前記チャンネルの第２のセットを有する復号されたマルチチャンネルオーディオ信号を生成するために前記推定パラメトリックデータに応じて前記第１の信号を空間オーディオデコーダで復号することと
を有する当該方法。
【請求項２０】
請求項１記載のデコーダを有するオーディオ再生装置。